(57)【特許請求の範囲】
【請求項１】
媒体取扱装置であって、
ＩＣチップと、アンテナとを備えた媒体が積層して収納される媒体収納部と、
前記媒体収納部内に格納された前記媒体を外部へ繰り出す繰り出し部と、
前記媒体収納部に収納された前記媒体から、前記ＩＣチップに予め記憶された前記媒体の識別子を含む情報を読み取る収納媒体情報取得部と、
前記収納媒体情報取得部を、前記媒体の積層方向に移動させる駆動部と、
前記収納媒体情報取得部により読み取られた情報を出力する通信部と、
を備える、媒体取扱装置。
【請求項２】
請求項１記載の媒体取扱装置であって、
前記収納媒体情報取得部は、
前記媒体の第１の端部を含む第１の読み取り範囲を有する第１の収納媒体情報取得部と、
前記第１の端部とは異なる第２の端部を含み、かつ、前記第１の読み取り範囲とは重複しない第２の読み取り範囲を有する第２の収納媒体情報取得部と、
を備える、媒体取扱装置。
【請求項３】
請求項１または２記載の媒体取扱装置であって、
前記繰り出し部は、
前記媒体収納部内に格納された前記媒体を外部へ搬送するための搬送路と、
前記搬送路に接続され、前記搬送路に前記媒体を繰り出す媒体繰り出し部と、
を含み、
前記媒体取扱装置は、さらに、前記搬送路上に配置され、前記搬送路により搬送される前記媒体から、前記ＩＣチップに予め記憶された前記媒体の識別子を含む情報を読み取る搬送媒体情報取得部を備え、
前記通信部は、さらに、前記搬送媒体情報取得部により読み取られた情報を出力する、媒体取扱装置。
【請求項４】
請求項１または２記載の媒体取扱装置であって、
複数の前記媒体取扱装置と、
複数の前記繰り出し部に接続されている共通搬送路と、
前記共通搬送路上に配置され、前記共通搬送路により搬送される前記媒体から、前記ＩＣチップに予め記憶された前記媒体の識別子を含む情報を読み取る搬送媒体情報取得部と、
を備え、
前記通信部は、さらに、前記搬送媒体情報取得部により読み取られた情報を出力する、媒体取扱装置。
【請求項５】
請求項１ないし４のいずれか一項記載の媒体取扱装置であって、
前記収納媒体情報取得部もしくは前記搬送媒体情報取得部が読み取る前記媒体の情報には、さらに、前記媒体の種類を識別するための情報が含まれる、媒体取扱装置。
【請求項６】
通帳発行装置であって、
請求項１ないし５のいずれか一項記載の媒体取扱装置を備える、通帳発行装置。
【発明の詳細な説明】
【技術分野】
【０００１】
本発明は、金融機関等での取引に使用される通帳等の媒体を発行可能な媒体取扱装置に関する。
【背景技術】
【０００２】
銀行等の金融機関で使用される媒体取扱装置の代表的な例としては、通帳発行装置がある。通帳発行装置は、例えば、利用者（オペレーター）からの通帳発行指示により、通帳発行装置内の収納部に収納されている未使用の通帳を繰り出し、磁気ストライプへの書き込み処理や表紙への印字処理等を行う装置である。書き込み処理や印字処理を正しく行うために、収納部内の未使用の通帳は、その裏表および向きを揃えた状態で収納される。従来、このような通帳発行装置において、収納部内に収納されている通帳の残冊数を検知するために、収納部に積層された複数の未使用の通帳の積層方向をフォトリフレクタで走査する技術が知られている（例えば、特許文献１）。
【先行技術文献】
【特許文献】
【０００３】
【特許文献１】特開平８−７７２６８号公報
【特許文献２】特開２００８−２９０３１１号公報
【特許文献３】特開２０００−２８９３７３号公報
【特許文献４】特開平１１−３０６３０８号公報
【発明の概要】
【発明が解決しようとする課題】
【０００４】
しかし、従来の技術では、通帳の残冊数を得るためには光学センサからの出力を解析する必要があり、通帳の残冊数を精度よく検出するためには複雑な処理を要するという問題があった。
【０００５】
本発明は、収納部内の媒体の数量を簡便に取得することが可能な媒体取扱装置を提供することを目的とする。
【課題を解決するための手段】
【０００６】
本発明は、上述の課題の少なくとも一部を解決するためになされたものであり、以下の形態又は適用例として実現することが可能である。
【０００７】
［適用例１］
媒体取扱装置であって、
ＩＣチップと、アンテナとを備えた媒体が積層して収納される媒体収納部と、
前記媒体収納部内に格納された前記媒体を外部へ繰り出す繰り出し部と、
前記媒体収納部に収納された前記媒体から、前記ＩＣチップに予め記憶された前記媒体の識別子を含む情報を読み取る収納媒体情報取得部と、
前記収納媒体情報取得部を、前記媒体の積層方向に移動させる駆動部と、
前記収納媒体情報取得部により読み取られた情報を出力する通信部と、
を備える、媒体取扱装置。
このような構成にすれば、収納媒体情報取得部は、媒体収納部に収納された媒体から、ＩＣチップに予め記憶された媒体の識別子を含む情報を読み取り、通信部は、収納媒体情報取得部により読み取られた情報を出力するため、媒体収納部内の媒体の数量を簡便に取得することができる。
【０００８】
［適用例２］
適用例１記載の媒体取扱装置であって、
前記収納媒体情報取得部は、
前記媒体の第１の端部を含む第１の読み取り範囲を有する第１の収納媒体情報取得部と、
前記第１の端部とは異なる第２の端部を含み、かつ、前記第１の読み取り範囲とは重複しない第２の読み取り範囲を有する第２の収納媒体情報取得部と、
を備える、媒体取扱装置。
このような構成にすれば、収納媒体情報取得部は、媒体の第１の端部を含む第１の読み取り範囲を有する第１の収納媒体情報取得部と、前記第１の端部とは異なる第２の端部を含み、かつ、第１の読み取り範囲とは重複しない第２の読み取り範囲を有する第２の収納媒体情報取得部と、を備えるため、異なる２つの読み取り範囲における媒体の数量を取得することができる。
【０００９】
［適用例３］
適用例１または２記載の媒体取扱装置であって、
前記繰り出し部は、
前記媒体収納部内に格納された前記媒体を外部へ搬送するための搬送路と、
前記搬送路に接続され、前記搬送路に前記媒体を繰り出す媒体繰り出し部と、
を含み、
前記媒体取扱装置は、さらに、前記搬送路上に配置され、前記搬送路により搬送される前記媒体から、前記ＩＣチップに予め記憶された前記媒体の識別子を含む情報を読み取る搬送媒体情報取得部を備え、
前記通信部は、さらに、前記搬送媒体情報取得部により読み取られた情報を出力する、媒体取扱装置。
このような構成にすれば、搬送媒体情報取得部は、媒体収納部内に格納された媒体を外部へ搬送するための搬送路により搬送される媒体から、ＩＣチップに予め記憶された媒体の識別子を含む情報を読み取り、通信部は、さらに、搬送媒体情報取得部により読み取られた情報を出力するため、搬送される媒体の数量を簡便に取得することができる。
【００１０】
［適用例４］
適用例１または２記載の媒体取扱装置であって、
複数の前記媒体取扱装置と、
複数の前記繰り出し部に接続されている共通搬送路と、
前記共通搬送路上に配置され、前記共通搬送路により搬送される前記媒体から、前記ＩＣチップに予め記憶された前記媒体の識別子を含む情報を読み取る搬送媒体情報取得部と、
を備え、
前記通信部は、さらに、前記搬送媒体情報取得部により読み取られた情報を出力する、媒体取扱装置。
このような構成にすれば、搬送媒体情報取得部は、複数の繰り出し部に接続されている共通搬送路により搬送される媒体から、ＩＣチップに予め記憶された媒体の識別子を含む情報を読み取り、通信部は、さらに、搬送媒体情報取得部により読み取られた情報を出力するため、搬送される媒体の数量を簡便に取得することができる。
【００１１】
［適用例５］
適用例１ないし４のいずれか一項記載の媒体取扱装置であって、
前記収納媒体情報取得部もしくは前記搬送媒体情報取得部が読み取る前記媒体の情報には、さらに、前記媒体の種類を識別するための情報が含まれる、媒体取扱装置。
このような構成にすれば、収納媒体情報取得部もしくは搬送媒体情報取得部が読み取る媒体の情報には、さらに、媒体の種類を識別するための情報が含まれるため、媒体の数量に加え、媒体の種類も取得することができる。
【００１２】
なお、本発明は、種々の態様で実現することが可能である。例えば、本発明は、媒体取扱装置、媒体取扱システム、媒体取扱装置の制御方法、媒体取扱装置を含む通帳発行装置、媒体取扱装置を含む現金自動取引装置のほか、それらの方法または装置の機能を実現するためのコンピュータプログラム、そのコンピュータプログラムを記憶した記憶媒体等の形態で実現することができる。
【図面の簡単な説明】
【００１３】
【図１】本発明の一実施例としての媒体取扱装置の概略構成を示す説明図である。
【図２】媒体取扱装置のＸ方向（図１）における断面の概略を示す説明図である。
【図３】通帳ＰＢに内蔵される非接触ＩＣの位置の他の例を示す説明図である。
【図４】非接触ＩＣの読み取り処理の流れを示すフローチャートである。
【図５】非接触ＩＣの読み取り処理（図４）によって得られた結果の一例を示す説明図である。
【図６】第２実施例における媒体取扱装置のＸ方向（図１）における断面の概略を示す説明図である。
【図７】第２実施例における非接触ＩＣの読み取り処理（図４）によって得られた結果の一例を示す説明図である。
【図８】第２実施例における非接触ＩＣの読み取り処理（図４）によって得られた結果の他の例を示す説明図である。
【図９】第３実施例における媒体取扱装置の概略構成を示す説明図である。
【図１０】第４実施例における媒体取扱装置群の概略構成を示す説明図である。
【発明を実施するための形態】
【００１４】
次に、本発明の実施の形態を実施例に基づいて以下の順序で説明する。
【００１５】
Ａ．第１実施例：
図１は、本発明の一実施例としての媒体取扱装置１０の概略構成を示す説明図である。図１は、媒体取扱装置１０の側面からの内部構造を模式的に示しており、説明上必要としない他の構成部については図示を省略している。このことは、後述する図においても同様である。
【００１６】
媒体取扱装置１０は、銀行等に設置される通帳発行装置に搭載される装置であり、収納部に収納されている未使用の媒体（通帳）を繰り出す機能を有する。通帳発行装置は、媒体取扱装置１０によって繰り出された通帳に対して、磁気ストライプに必要な情報を書き込む処理や、通帳の表紙への印字処理等を行った後、通帳を発行する。なお、通帳発行装置における各種の処理（情報の書き込み処理、印字処理、通帳の残数量の管理処理等）については、説明を省略する。
【００１７】
媒体取扱装置１０は、通帳カセット１００と、繰り出しローラ１０２と、第１搬送ローラ１０４と、第２搬送ローラ１０６と、搬送路１１０と、収納媒体情報取得部２００と、駆動ベルトプーリー２１２と、駆動モータ２１４と、駆動ベルト２１６とを備えている。
【００１８】
媒体収納部としての通帳カセット１００は、媒体としての通帳ＰＢが積層された状態で収納される収納庫である。通帳カセット１００の下端側の端部には、搬送路１１０と接続するための開口部が形成されている。
【００１９】
搬送路１１０は、通帳ＰＢを外部へ排出するために、通帳発行装置の正面（Ｘ方向）に設けられる通帳排出口（図示省略）と、通帳カセット１００との間において通帳ＰＢを搬送するための搬送路である。搬送路１１０の一端は通帳排出口に接続されている。また、搬送路１１０の他端は、通帳カセット１００の開口部から、通帳カセット１００の内部に挿入されている。
【００２０】
繰り出しローラ１０２は、通帳カセット１００の下端側の底部に、繰り出しローラ１０２の一部が通帳カセット１００の最も下端側に位置する通帳ＰＢに接するように設けられている。繰り出しローラ１０２が回転することによって、通帳カセット１００の最も下端側に位置する１冊の通帳ＰＢが搬送路１１０に向かって繰り出される。第１搬送ローラ１０４と、第２搬送ローラ１０６は、搬送路１１０に対して対向するように配置され、搬送路１１０へ繰り出された通帳ＰＢを通帳排出口に向かって（すなわち、Ｘ方向に向かって）搬送する機能を有する。なお、繰り出しローラ１０２と、第１搬送ローラ１０４と、第２搬送ローラ１０６とを総称して「媒体繰り出し部」とも呼ぶ。また、搬送路と媒体繰り出し部とを総称して、単に「繰り出し部」とも呼ぶ。
【００２１】
収納媒体情報取得部２００は、非接触ＩＣリーダー２０２と、通信部２０４とを備えている。非接触ＩＣリーダー２０２は、無線式の読取装置であり、媒体ＰＢに備えられている非接触型ＩＣと無線により通信を行い、非接触型ＩＣ内に予め記憶されている情報の読み取りを行う。非接触ＩＣリーダー２０２は、通帳カセット１００内部に複数の媒体ＰＢが積層されている場合であっても、その各々に備えられた非接触型ＩＣと通信することが可能である。
【００２２】
通信部２０４は、非接触ＩＣリーダー２０２により読み取られた情報を、親装置である通帳発行装置の制御部へ送信する（出力する）機能を有する。通信部２０４における通信の方式は、有線／無線を問わず、任意の方式を採用することができる。
【００２３】
駆動ベルト２１６は、通帳カセット１００の上端側に配置された駆動ベルトプーリー２１２と、下端側に配置された駆動モータ２１４とに接続されているベルトである。駆動ベルト２１６の通帳カセット１００と対向する側の一部分には、収納媒体情報取得部２００が固定されている。駆動モータ２１４を用いて駆動ベルト２１６を回転させることにより、収納媒体情報取得部２００を通帳カセット１００の上端側と下端側との間で（換言すれば、通帳カセット内の通帳ＰＢの積層方向に）移動させることができる。このため、非接触ＩＣリーダー２０２は、通帳カセット１００内の通帳ＰＢに予め記憶された情報を順次読み取ることができる。なお、駆動ベルトプーリー２１２と、駆動モータ２１４と、駆動ベルト２１６とを総称して「駆動部」とも呼ぶ。
【００２４】
図２は、媒体取扱装置１０のＸ方向（図１）における断面の概略を示す説明図である。通帳カセット１００内に格納された通帳ＰＢの右上端部ＲＵには、予め非接触ＩＣが内蔵されている。非接触ＩＣは、ＲＦＩＤ（Radio Frequency IDentification）の一種であり、ＩＣチップとアンテナ（図示省略）から構成されるタグを対象物に付け、無線によりＩＣチップ内の情報にアクセスすることを可能とする技術である。
【００２５】
なお、本実施例では、通帳ＰＢに内蔵される非接触ＩＣは、近接型（通信距離が数ｍｍ〜数十ｍｍ）もしくは近傍型（通信距離が数十ｍｍ〜０．７ｍ）である。しかし、他の種類の非接触ＩＣ、例えば、遠隔型（通信距離が０．７ｍ以遠）の非接触ＩＣを用いることとしてもよい。また、非接触ＩＣ以外のＲＦＩＤを使用してもよい。
【００２６】
図のように、媒体取扱装置１０のＸ方向（図１）における断面から見た場合、収納媒体情報取得部２００は、通帳ＰＢが収納されている通帳カセット１００の右側に位置するように配置されている。このようにすれば、非接触ＩＣリーダー２０２の読み取り範囲ＲＡが、通帳ＰＢの右上端部ＲＵに内蔵された非接触ＩＣを含むことができる。
【００２７】
図３は、通帳ＰＢに内蔵される非接触ＩＣの位置の他の例を示す説明図である。図のように、非接触ＩＣは、通帳ＰＢの右上端部ＲＵのほか、右下端部ＲＬ、左上端部ＬＵ、左下端部ＬＬに内蔵されるものとしてもよい。なお、非接触ＩＣが内蔵される場所は任意に定めることが可能であるが、図のように、通帳ＰＢの端部に配置することが好ましい。
【００２８】
また、非接触ＩＣが内蔵される場所を変更した場合、これに併せて収納媒体情報取得部２００の位置も適宜変更することが好ましい。具体的には、変更後の非接触ＩＣが、非接触ＩＣリーダー２０２の読み取り範囲内に位置するように収納媒体情報取得部２００の位置を変更する。
【００２９】
図４は、非接触ＩＣの読み取り処理の流れを示すフローチャートである。非接触ＩＣの読み取り処理は、通帳発行装置の図示しない制御部により制御される。
【００３０】
まず、制御部は、駆動モータ２１４を駆動させることによって、収納媒体情報取得部２００を通帳カセット１００の最上端まで移動させる（ステップＳ１０）。次に、制御部は、非接触ＩＣリーダー２０２に情報の読み取り指示を出すことによって、通帳ＰＢに内蔵された非接触ＩＣ内に記憶された情報の読み取りを行う（ステップＳ１２）。読み取りの際、非接触ＩＣリーダー２０２は、少なくとも、通帳ＰＢの識別子（通帳を一意に識別するために付与された固有のＩＤ）と、通帳ＰＢの種類を識別するための情報とを読み出す。読み出された情報は、非接触ＩＣリーダー２０２内の図示しない一時メモリに格納される。
【００３１】
非接触ＩＣリーダー２０２が、読み取り範囲内に位置する全ての通帳ＰＢの情報の読み取りを行った後、制御部は、収納媒体情報取得部２００が通帳カセット１００の最下端まで移動されたか否かを判定する（ステップＳ１４）。最下端まで移動されていない場合、制御部は、収納媒体情報取得部２００を所定量だけ下端側へ移動させた後（ステップＳ１６）、処理をステップＳ１２へ遷移させる。なお、所定量とは、非接触ＩＣリーダー２０２の読み取り範囲等を考慮して、任意に定めることが可能である。
【００３２】
一方、収納媒体情報取得部２００が通帳カセット１００の最下端まで移動されている場合、制御部は、通信部２０４に、非接触ＩＣリーダー２０２内の一時メモリに格納された情報を送信させる（ステップＳ１８）。その後、処理は終了する。
【００３３】
図５は、非接触ＩＣの読み取り処理（図４）によって得られた結果の一例を示す説明図である。番号欄は、非接触ＩＣリーダー２０２によって読み取りが行われた順序を示している。通帳種類欄は、通帳ＰＢに内蔵された非接触ＩＣ内に記憶された情報のうち、通帳ＰＢの種類を識別するための情報を示している。通帳識別子欄は、通帳ＰＢに内蔵された非接触ＩＣ内に記憶された情報のうち、通帳ＰＢの識別子（通帳を一意に識別するために付与された固有のＩＤ）を示している。
【００３４】
図５の例では、非接触ＩＣリーダー２０２によって取得された結果から、通帳カセット１００内に格納されている通帳ＰＢの数量は、１５であることを把握することができる。また、通帳カセット１００内に格納されている通帳ＰＢの種類は、全て「Ａ」であることを把握することができる。さらに、通帳カセット１００内に格納されている個々の通帳ＰＢの識別子も取得される。
【００３５】
通帳発行装置の制御部は、これらの情報を用いて、通帳を管理するための種々の処理をすることが可能となる。具体的には、例えば、通帳発行装置の制御部は、取得された通帳の数量を用いて、通帳発行装置に装填された未使用の通帳の残数量を管理し、残数量が少なくなった場合に、利用者に通知を行う等の処理をすることができる。また、通帳発行装置の制御部は、取得された通帳の種類を用いて、通帳発行装置に誤った種類の通帳が装填されていないか等の監視を行うことができる。
【００３６】
以上のように、第１実施例によれば、収納媒体情報取得部２００の非接触ＩＣリーダー２０２は、媒体収納部（通帳カセット１００）に収納された媒体（通帳ＰＢ）から、図５に示すように、通帳ＰＢに予め記憶された通帳ＰＢの識別子を含む情報を順次読み取る。通信部２０４は、非接触ＩＣリーダー２０２により読み取られた情報を送信するため、通帳カセット１００内の通帳ＰＢの数量を簡便に取得することができる。
【００３７】
さらに、非接触ＩＣリーダー２０２が読み取る通帳ＰＢの情報には、通帳ＰＢの種類を識別するための情報が含まれるため、通帳ＰＢの数量に加え、通帳ＰＢの種類も取得することができる。
【００３８】
Ｂ．第２実施例：
第２実施例では、媒体取扱装置が、２つの収納媒体情報取得部を備える構成について説明する。なお、以下では、第１実施例と異なる構成および動作を有する部分についてのみを説明する。図中において第１実施例と同様の構成部分については先に説明した第１実施例と同様の符号を付し、その詳細な説明を省略する。
【００３９】
図６は、第２実施例における媒体取扱装置１０ａのＸ方向（図１）における断面の概略を示す説明図である。図６（Ａ）は、通帳カセット１００内の通帳ＰＢが正しい向きである場合の様子を示している。図２に示した第１実施例との違いは、媒体取扱装置１０ａが、２つの収納媒体情報取得部（収納媒体情報取得部２００、２００ａ）を備える点のみであり、他の構成や動作は第１実施例と同様である。
【００４０】
収納媒体情報取得部２００については、第１実施例と同じである。収納媒体情報取得部２００は、第１実施例と同様に、通帳ＰＢの右上端部ＲＵに内蔵された非接触ＩＣを読み取ることによって、通帳カセット内の通帳の数量や、種類等を取得するために用いられる。なお、収納媒体情報取得部２００を「第１の収納媒体情報取得部」とも呼ぶ。また、収納媒体情報取得部２００の非接触ＩＣリーダー２０２の読み取り範囲ＲＡを「第１の読み取り範囲」とも呼ぶ。
【００４１】
収納媒体情報取得部２００ａは、非接触ＩＣリーダー２０２ａと、通信部２０４ａとを備えている。非接触ＩＣリーダー２０２ａおよび通信部２０４ａの機能は、非接触ＩＣリーダー２０２および通信部２０４と同様である。図のように、収納媒体情報取得部２００ａは、媒体取扱装置１０ａのＸ方向（図１）における断面から見た場合、通帳ＰＢが収納されている通帳カセット１００の左側に位置するように配置されている。このため、非接触ＩＣリーダー２０２ａの読み取り範囲ＲＡａは、通帳ＰＢの長手方向であって、非接触ＩＣが内蔵されている側の端部とは逆側に位置する端部（左上端部ＲＵ）を含んでいる。
【００４２】
さらに、収納媒体情報取得部２００ａは、非接触ＩＣリーダー２０２ａの読み取り範囲ＲＡａと、非接触ＩＣリーダー２０２の読み取り範囲ＲＡとが、重複しない位置に配置されている。なお、収納媒体情報取得部２００ａを「第２の収納媒体情報取得部」とも呼ぶ。また、非接触ＩＣリーダー２０２ａの読み取り範囲ＲＡａを「第２の読み取り範囲」とも呼ぶ。
【００４３】
図６（Ｂ）は、通帳カセット１００内の通帳ＰＢが誤った向きである場合の様子を示している。図６（Ｂ）のように、通帳ＰＢが誤った向きに収納されている場合は、通帳ＰＢの右上端部ＲＵに内蔵されている非接触ＩＣが、非接触ＩＣリーダー２０２ａの読み取り範囲ＲＡａに含まれることとなる。すなわち、収納媒体情報取得部２００ａは、通帳カセット１００内において、他の通帳とは異なる向きに積層された通帳の検出を行うために用いられる。
【００４４】
図７は、第２実施例における非接触ＩＣの読み取り処理（図４）によって得られた結果の一例を示す説明図である。図７（Ａ）は、非接触ＩＣリーダー２０２ａによって得られた読み取り結果を示している。図７（Ｂ）は、非接触ＩＣリーダー２０２によって得られた読み取り結果を示している。図７（Ａ）の例からは、通帳カセット１００内において、他の通帳ＰＢとは異なる向きに積層された通帳ＰＢの数量は０であることを把握することができる。また、図７（Ｂ）の例からは、第１実施例と同様に、通帳カセット１００内に正しい向きで格納されている通帳ＰＢの数量と、通帳ＰＢの種類と、個々の通帳ＰＢの識別子とを把握することができる。
【００４５】
図８は、第２実施例における非接触ＩＣの読み取り処理（図４）によって得られた結果の他の例を示す説明図である。図８（Ａ）は、非接触ＩＣリーダー２０２ａによって得られた読み取り結果を示している。図８（Ｂ）は、非接触ＩＣリーダー２０２によって得られた読み取り結果を示している。図８（Ａ）の例からは、通帳カセット１００内において、他の通帳ＰＢとは異なる向きに積層された通帳ＰＢの数量が２であることを把握することができる。また、他の通帳ＰＢとは異なる向きに積層された通帳ＰＢの識別子は、「０００００４」と、「０００００８」であることがわかる。さらに、図８（Ｂ）の例からは、第１実施例と同様に、通帳カセット１００内に正しい向きで格納されている通帳ＰＢの数量と、通帳ＰＢの種類と、個々の通帳ＰＢの識別子とを把握することができる。
【００４６】
通帳発行装置の制御部は、非接触ＩＣリーダー２０２ａ（第２の収納媒体情報取得部）によって得られた読み取り結果を用いることによって、第１実施例で述べた処理に加えて、次のような処理をすることができる。例えば、通帳発行装置の制御部は、媒体取扱装置１０ａから繰り出された通帳の識別子と、非接触ＩＣリーダー２０２ａによって得られた読み取り結果とを照合し、一致する場合は、繰り出された通帳は誤った向きに収納されている通帳であるものと判定し、情報の書き込み処理や印字処理等を行わずに、繰り出された通帳を図示しないリジェクト庫に搬送するといった処理を行うことができる。なお、非接触ＩＣリーダー２０２ａによる非接触ＩＣの読み取りに失敗した場合（例えば、非接触ＩＣ内に情報が書き込まれていなかった場合等）であっても同様に、リジェクト庫に搬送するといった処理をしてもよい。
【００４７】
以上のように、第２実施例によれば、収納媒体情報取得部は、媒体（通帳ＰＢ）の第１の端部を含む第１の読み取り範囲（読み取り範囲ＲＡ）を有する第１の収納媒体情報取得部（収納媒体情報取得部２００の非接触ＩＣリーダー２０２）と、第１の端部とは異なる第２の端部（すなわち、通帳ＰＢの長手方向であって、第１の端部の逆側に位置する第２の端部）を含み、かつ、読み取り範囲ＲＡとは重複しない第２の読み取り範囲（読み取り範囲ＲＡａ）を有する第２の収納媒体情報取得部（収納媒体情報取得部２００ａの非接触ＩＣリーダー２０２ａ）と、を備えるため、異なる２つの読み取り範囲における媒体の数量を取得することができる。
【００４８】
Ｃ．第３実施例：
第３実施例では、搬送路上に媒体情報取得部を備える構成について説明する。なお、以下では、第１実施例と異なる構成および動作を有する部分についてのみを説明する。図中において第１実施例と同様の構成部分については先に説明した第１実施例と同様の符号を付し、その詳細な説明を省略する。
【００４９】
図９は、第３実施例における媒体取扱装置１０ｂの概略構成を示す説明図である。図１に示した第１実施例との違いは、さらに、搬送媒体情報取得部３００を備える点のみであり、他の構成や動作は第１実施例と同じである。
【００５０】
搬送媒体情報取得部３００は、搬送路１１０上に配置されている。搬送媒体情報取得部３００は、非接触ＩＣリーダー３０２と、通信部３０４とを備えている。非接触ＩＣリーダー３０２は、非接触ＩＣリーダー２０２と同様の無線式の読み取り装置であり、搬送路１１０を搬送される媒体ＰＢに備えられている非接触ＩＣと無線により通信を行い、非接触ＩＣ内に予め記憶されている情報の読み取りを行う。非接触ＩＣリーダー３０２は、少なくとも、通帳ＰＢの識別子を読み出す。読み出された情報は、非接触ＩＣリーダー３０２内の図示しない一時メモリに格納される。
【００５１】
通信部３０４は、非接触ＩＣリーダー３０２により読み取られた情報を、親装置である通帳発行装置の制御部へ送信する機能を有する。通信部３０４における通信の方式は、有線／無線を問わず、任意の方式を採用することができる。なお、非接触ＩＣリーダー３０２による非接触ＩＣの読み取り制御、および、通信部３０４による情報の送信制御は、通帳発行装置の図示しない制御部により行われる。
【００５２】
通帳発行装置の制御部は、搬送媒体情報取得部３００の非接触ＩＣリーダー３０２によって得られた読み取り結果を用いることによって、第１実施例で述べた処理に加えて、次のような処理をすることができる。例えば、通帳発行装置の制御部は、媒体取扱装置１０ｂから繰り出された通帳が複数ある場合には、誤繰り出しであるものと判定し、情報の書き込み処理や印字処理等を行わずに、繰り出された通帳を図示しないリジェクト庫に搬送するといった処理を行うことができる。
【００５３】
以上のように、第３実施例によれば、搬送媒体情報取得部３００は、媒体収納部内（通帳カセット１００）に格納された媒体（通帳ＰＢ）を外部へ搬送するための搬送路１１０により搬送される通帳ＰＢから、通帳ＰＢ内に予め記憶された通帳ＰＢの識別子を含む情報を読み取り、通信部３０４は、さらに、搬送媒体情報取得部（搬送媒体情報取得部３００の非接触ＩＣリーダー３０２）により読み取られた情報を送信するため、搬送される通帳ＰＢの数量を簡便に取得することができる。
【００５４】
Ｄ．第４実施例：
第４実施例では、複数の媒体取扱装置が組み合わされる構成について説明する。なお、以下では、第１実施例と異なる構成および動作を有する部分についてのみを説明する。図中において第１実施例と同様の構成部分については先に説明した第１実施例と同様の符号を付し、その詳細な説明を省略する。
【００５５】
図１０は、第４実施例における媒体取扱装置群２０の概略構成を示す説明図である。図１に示した第１実施例との違いは、３つの媒体取扱装置１０を備える点と、各媒体取扱装置の搬送路１１０の一端が、それぞれ共通搬送路１６に接続されている点と、複数の第３搬送ローラ１２を備える点と、搬送媒体情報取得部４００を備える点のみであり、他の構成や動作は第１実施例と同様である。
【００５６】
媒体取扱装置１０のそれぞれは、第１実施例で説明した媒体取扱装置１０と同じである。図９においては、図示の便宜上、媒体取扱装置１０内の各構成部についての符号を省略している。共通搬送路１６は、通帳ＰＢを外部へ排出するために、通帳発行装置の正面（Ｘ方向）に設けられる通帳排出口（図示省略）と、各媒体取扱装置の搬送路１１０の一端との間において通帳ＰＢを搬送するための搬送路である。
【００５７】
複数の第３搬送ローラ１２は、共通搬送路１６に対して対向するように配置され、共通搬送路１６へ繰り出された通帳ＰＢを通帳排出口に向かって（すなわち、Ｘ方向に向かって）搬送する機能を有する。なお、本実施例においては、繰り出しローラ１０２（図１）と、第１搬送ローラ１０４（図１）と、第２搬送ローラ１０６（図１）と、複数の第３搬送ローラ１２とを総称して「媒体繰り出し部」とも呼ぶ。
【００５８】
搬送媒体情報取得部４００は、共通搬送路１６上に配置されている。搬送媒体情報取得部４００は、非接触ＩＣリーダー４０２と、通信部４０４とを備えている。非接触ＩＣリーダー４０２は、非接触ＩＣリーダー２０２と同様の無線式の読み取り装置であり、共通搬送路１６を搬送される媒体ＰＢに備えられている非接触ＩＣと無線により通信を行い、非接触ＩＣ内に予め記憶されている情報の読み取りを行う。非接触ＩＣリーダー４０２は、少なくとも、通帳ＰＢの識別子を読み出す。読み出された情報は、非接触ＩＣリーダー４０２内の図示しない一時メモリに格納される。
【００５９】
通信部４０４は、非接触ＩＣリーダー４０２により読み取られた情報を、親装置である通帳発行装置の制御部へ送信する機能を有する。通信部４０４における通信の方式は、有線／無線を問わず、任意の方式を採用することができる。なお、非接触ＩＣリーダー４０２による非接触ＩＣの読み取り制御、および、通信部４０４による情報の送信制御は、通帳発行装置の図示しない制御部により行われる。
【００６０】
通帳発行装置の制御部は、搬送媒体情報取得部４００の非接触ＩＣリーダー４０２によって得られた読み取り結果を用いることによって、第１実施例で述べた処理に加えて、次のような処理をすることができる。例えば、通帳発行装置の制御部は、媒体取扱装置１０から繰り出された通帳が複数ある場合には、誤繰り出しであるものと判定し、情報の書き込み処理や印字処理等を行わずに、繰り出された通帳を図示しないリジェクト庫に搬送するといった処理を行うことができる。
【００６１】
以上のように、第４実施例によれば、搬送媒体情報取得部４００は、複数の媒体収納部内（通帳カセット１００）に格納された媒体（通帳ＰＢ）を、それぞれ外部へ搬送するための複数の搬送路１１０と接続されている共通搬送路１６により搬送される通帳ＰＢから、通帳ＰＢに予め記憶された通帳ＰＢの識別子を含む情報を読み取り、通信部４０４は、さらに、搬送媒体情報取得部（搬送媒体情報取得部４００の非接触ＩＣリーダー４０２）により読み取られた情報を送信するため、搬送される通帳ＰＢの数量を簡便に取得することができる。
【００６２】
Ｅ．変形例：
なお、この発明は上記の実施例や実施形態に限られるものではなく、その要旨を逸脱しない範囲において種々の態様において実施することが可能であり、例えば次のような変形も可能である。
【００６３】
Ｅ１．変形例１：
上記実施例では、媒体取扱装置は、通帳発行装置に搭載される装置であるものとして説明した。しかし、上記実施例で示した態様は、あくまで媒体取扱装置の利用形態の一例に過ぎず、本発明の要旨を逸脱しない範囲において種々の変形をすることが可能である。例えば、媒体取扱装置は、銀行等に設置される現金自動取引装置（Automated teller machine）に搭載されるものとしてもよいし、媒体取扱装置は、駅等に設置される自動券売機に搭載されるものとしてもよい。
【００６４】
Ｅ２．変形例２：
上記実施例では、媒体取扱装置の構成や機能を説明した。しかし、上記実施例で示した態様は、あくまで媒体取扱装置の構成の一例に過ぎず、本発明の要旨を逸脱しない範囲において種々の変形をすることが可能である。具体的には、媒体取扱装置の各部を構成する部材の形状等を変更しても良いし、上述しない機能を備えるものとしても良い。
【００６５】
例えば、媒体取扱装置において取り扱われる媒体として、通帳以外の媒体（例えば、キャッシュカードや、クレジットカード、定期券等）を採用することもできる。
【００６６】
例えば、非接触ＩＣの読み取り処理（図４）を制御する制御部を、媒体取扱装置内部に設けるものとしても良い。
【００６７】
例えば、収納媒体情報取得部や、搬送媒体情報取得部は、個々に通信部を含む構成ではなく、共通する１つの通信部を備える構成としてもよい。
【００６８】
例えば、通帳カセット１００の近傍に、収納媒体情報取得部を複数設けることによって、駆動部（駆動ベルトプーリー、駆動モータ、駆動ベルト）を省略してもよい。
【００６９】
例えば、収納媒体情報取得部を２つ以上設ける構成としてもよい。また、媒体に内蔵される非接触ＩＣの数も、複数個にすることができる。
【００７０】
例えば、第２実施例で説明した媒体取扱装置や、第３実施例で説明した媒体取扱装置を複数用いることによって、第４実施例で説明した媒体取扱装置群を構成するものとしてもよい。
【符号の説明】
【００７１】
１０…媒体取扱装置
１０ａ…媒体取扱装置
１０ｂ…媒体取扱装置
１２…第３搬送ローラ
１６…共通搬送路
２０…媒体取扱装置群
１００…通帳カセット
１０２…繰り出しローラ
１０４…第１搬送ローラ
１０６…第２搬送ローラ
１１０…搬送路
２００…収納媒体情報取得部
２００ａ…収納媒体情報取得部
２０２…非接触ＩＣリーダー
２０２ａ…非接触ＩＣリーダー
２０４…通信部
２０４ａ…通信部
２１２…駆動ベルトプーリー
２１４…駆動モータ
２１６…駆動ベルト
３００…搬送媒体情報取得部
３０２…非接触ＩＣリーダー
３０４…通信部
４００…搬送媒体情報取得部
４０２…非接触ＩＣリーダー
４０４…通信部
【図１】
0005501130.tif 000002
【図２】
0005501130.tif 000003
【図３】
0005501130.tif 000004
【図４】
0005501130.tif 000005
【図５】
0005501130.tif 000006
【図６】
0005501130.tif 000007
【図７】
0005501130.tif 000008
【図８】
0005501130.tif 000009
【図９】
0005501130.tif 000010
【図１０】
0005501130.tif 000011